(57)【要約】      （修正有）【課題】便座を持ち上げたり降ろしたりするときに、手が汚れない便座の把手を提供する。【解決手段】便座２に把手となるピン７を出没可能に設けた。便座２の適宜な個所に水平方向に孔８を形成し、この孔８にスリーブ９を埋設するとともに、スリーブ９にピン７を摺動可能に収容したものである。ピン７の出没は、その前面を押すと、突出した状態と没入した状態を交互に繰り返すノック構造によっている。スリーブ９とピン７との間に溝状のガイドカム１０を形成したガイドスリーブ１１を挿設し、ピン７の表面にガイドピン１２を突設して、このガイドピン１２をガイドカム１０に嵌入するとともに、ピン７をスプリング１３で前方に弾性付勢してスリーブ９内に収容した。【選択図】図１
0003105231.tif 000002
【実用新案登録請求の範囲】
【請求項１】
便器の上面に起倒可能に設けられる便座に、側方に向けて出没可能なピンを設けるとともに、この出没構造が、ピンの前面を押すことで、突出と没入を交互に繰り返すノック構造で構成されていることを特徴とする便座の把手。
【請求項２】
ピンが便座に没入されているとき、ピンと便座の側面が略面一に収容されており、かつ、ピンの突出する部分に金メッキ又は銀メッキが施されている請求項１の便座の把手。
【考案の詳細な説明】
【技術分野】
【０００１】
本考案は、便座の把手に関するものである。
【背景技術】
【０００２】
腰掛け便器には、便器の上面に便座と蓋とがそれぞれ開閉自在に設けられている。この場合、男性が小用をするときには、便座と蓋とを持ち上げて便器の上面を開放する。また、掃除をするときにも、これと同様の操作をすることになる。ところで、便座の裏面には脚が設けられていて便器の縁（上面）からは浮かせた状態にしてあるが、この間隔はそれほど大きくはないから、便座の裏面に手を差し込んだときに、便器の縁が汚れていると、それに触れることがある。したがって、便座を手で持ち上げるには抵抗がある。
【０００３】
このため、便座に把手を設けたものが数多く提案されているが、これら把手は、常時突出した固定式のものであるから、便器の縁が汚れていると、空気の流れや流し水の飛散等によってその汚れは把手にも移る。また、このようなものが常時突出していると、体裁も悪いし、場合によっては用を足すときの邪魔になることがある。
【０００４】
一方、下記の特許文献１には、便座に把手を収納できる収納部を設け、この収納部に対して把手を出し入れ自在又は弾発的に突出させるものが提案されている。しかし、この先行例のものは、便座にカバーを掛けるときの便宜を図るもので、カバーを掛けるときに引っ込めておき、カバーを掛け終わったなら引き出しておく（又は手を離したなら弾発的に突出してくる）もので、引き出した又は突出した後は常に突出状態を保つものである。したがって、汚れ等の付着、用足しのときの邪魔、体裁の悪さは、固定式のものと変わらない。
【特許文献１】実開平４−１０７９６号公報
【考案の開示】
【考案が解決しようとする課題】
【０００５】
本考案が解決しようとする課題は、便座を開閉するときのみ把手（ピン）を突出させ、その他のときには、便座内に没入させておくことで、汚れや体裁の悪さを解消したものである。加えて、その出没構造を確実で簡単にしたものである。
【０００６】
ところで、最近の腰掛け便器では、トイレ室に入ると、人影を察知して或いはドアや照明に連動して蓋が自動的に開くものがあるが、この場合でも、女性の使用を考慮して便座は開かないようになっている（再度降ろさなければならないから）。そこで、便座のみを自動的に開かせることも考えられるが、その上昇速度はあまり速くはできないから、まだるっこしさがあるとともに、間に合わないこともある。それよりも、手で上げた方がはるかに速くて簡単である。要は、このとき、手が汚れたり、汚れそうな気にならなければよいのである。
【課題を解決するための手段】
【０００７】
以上の課題の下、本考案は、請求項１に記載した、便器の上面に起倒可能に設けられる便座に、側方に向けて出没可能なピンを設けるとともに、この出没構造が、ピンの前面を押すことで、突出と没入を交互に繰り返すノック構造で構成されていることを特徴とする便座の把手を提供するとともに、これにおいて、請求項２に記載した、ピンが便座に没入されているとき、ピンと便座の側面が略面一に収容されており、かつ、ピンの突出する部分に金メッキ又は銀メッキが施されている手段を提供したものである。
【考案の効果】
【０００８】
以上の手段をとることにより、便座の持上げは、ピンを持って行えばよいから、手が汚れることもないし、その不安もない。そして、このピンは、便座の開閉を行わないときには常に便座の中に没入しているから、汚れや体裁の悪さもないし、使用時の邪魔にもならない。また、ピンの出没はピンの前面を押すことで足りるから、引き出したり、倒したりする操作は不要で、簡単、短時間にできて非常に衛生的である。
【考案を実施するための最良の形態】
【０００９】
以下、本考案の最良の実施の形態を図面を参照して説明する。図４は腰掛け便器の一部断面側面図、図５は平面図であるが、腰掛け便器は、公知のように、上方が開放した便器１の上に起倒（開閉）可能な便座２と蓋３とが設けられているものである。また、便器１の後方には、流し水を溜める水槽４も設けられている。便座２と蓋３との開閉は、便器１の後部の上方に左右に渡し掛けられる軸５を設け、この軸５に下から便座２と蓋３の後部をそれぞれ回転自在に止め付けたものである。なお、便座２の裏面にはスペーサ２ａが点在して取り付けられており、便器１の上に降ろしたときには、その上面との間で一定の隙間が確保されるようになっている。この他、最近の腰掛け便器では、洗浄装置も設けられており、その操作部６が便器１の側方に設置されている。
【００１０】
本考案は、この便座２に把手となるピン７を出没可能に設けたものである。図１はこのピン７の出没構造を示す便座２の一部断面図、図２は図１のＡ−Ａ展開断面図、図３は便座２の一部正面図であるが、便座２の適宜な個所に水平方向に孔８を形成し、この孔８にスリーブ９を埋設するとともに、スリーブ９にピン７を摺動可能に収容したものである。ピン７の出没は、その前面を押すと、突出した状態と没入した状態を交互に繰り返すノック構造によっている。
【００１１】
すなわち、スリーブ９とピン７との間に溝状のガイドカム１０を形成したガイドスリーブ１１を挿設し、ピン７の表面にガイドピン１２を突設して、このガイドピン１２をガイドカム１０に嵌入するとともに、ピン７をスプリング１３で前方に弾性付勢してスリーブ９内に収容したものである。この場合のガイドカム１０は、長い縦溝１０ａと短い縦溝１０ｂとからなる略Ｕ字形をしており、今、ガイドピン１２が長い縦溝１０ａ中にあると、スプリング１３の作用でその頂部で止まっている。この状態のとき、ピン７はスリーブ９から突出した状態にある。
【００１２】
そして、ピン７をスプリング１３に抗してスリーブ９に押し込むと、ピン７はガイドピン１２が長い縦溝１０ａに案内されながら下降し、その底部に来ると、これに衝突して下降を停止するとともに、ガイドピン１２は短い縦溝１０ｂに移る。この移りは、ピン７の下降の惰性によって必定的に行われる。この状態で手をピン７から離すと、ピン７はスプリング１３の作用でガイドピン１２が短い縦溝１０ｂに案内されて上昇し、その頂部に来たところで止まる。
【００１３】
この状態のとき、ピン７はスリーブ９に没入した状態になる。これにより、ピン７を押すたびに、ピン７はスリーブ９から突出した状態と没入した状態を交互に繰り返すことになり、かつ、押し込まない限り、その状態が変わることもない。なお、ガイドスリーブ１１に形成されるガイドカム１０とガイドピン１２との組合せは、一個であってもよいし、二個以上であってもよい。また、ガイドガム１０は、Ｖ字形をしたものであってもよい。  
【００１４】
さらに、ノック構造も、これに限定されるものではなく、要するに、ピン７を押すたびにピン７が突出した状態と没入した状態とを固定的に繰り返すものであればよい。図６はノック構造の他の例を示す一部断面図であるが、ピン７をスプリング１３で常時突出側に弾性付勢している点は変わらないが、本例では、ピン７の後部に下方に弾性付勢させられて後部に上方突起１４ａを有するヘ形をした板バネ状の係止バネ１４を取り付け、この係止バネ１４の下方に上方付勢される板バネ状の案内バネ１５を設けたものである。
【００１５】
そして、ピン７を押し込むと、係止バネ１４は案内バネ１５の斜面を上がり、案内バネ１５によって上方へ押し上げられて上方突起１４ａがスプリング１３の中に入り込む。この状態で手を離せば、スプリング１３の弾発力によって係止バネ１４の下方付勢力が弱められ、上方突起１４ａはスプリング１３が延びるのを抑制して上方突起１４ａが入り込んだ位置から前方の部分のみが延びてピン７は没入した状態を保つ。一方、この状態のピン７をさらに押し込むと、スプリング１３の力は弱められ、係止バネ１４の下方付勢力が案内バネ１５の上方付勢力に勝って上方突起１４ａはスプリング１３から抜け出る。すると、ピン７はスプリング１３に押されて突出した状態になる。このような動作を繰り返すことで、突出と没入を交互に繰り返すものである。
【００１６】
次に、以上の把手の使い方について説明すると、男性が小用を足そうとして便座２（蓋３が自動的に開くものであれば、便座２のみ、蓋３を手動で上げるものであれば、便座２と蓋３）を持ち上げるときには、ピン７を手で押し込んで離せば、ピン７は便座２の側面から突出した状態になる。したがって、これを手で持って持ち上げればよく、こうすることで、素早く上げることができるし、手は便座２や便器本体１の縁の上面等に触れることはないから、汚物で汚れたりもしない。一方、便座２を持ち上げた後は、ピン７を再度押し込んで（或いは用足し中に押し込んでもよい）便座２内に没入した状態にしておけば、邪魔にもならないし、体裁の悪さも解消する。この意味から、ピン７は便座２の正面からやや右側に寄った位置に設けておくのが、右手で操作する上で好ましいといえる。また、ピン７は、軸５から離れた位置にあるほど軽く持ち上げられる。
【００１７】
なお、最近の腰掛け便器では、ほとんどのものが蓋３の上面を軽く押し下げると、蓋３と便座２とが一緒になって便器１の上にクッション等によって緩衝的に下降するようになっているから、用足し後の便座２の降ろしにピン７を使用する必要はない。この点で、ピン７は便座２の持ち上げのみに使用すればよく、持ち上げた後は速やかに没入させておくのが適する。ただし、クッションが設けられていないものについては、降ろし時にもピン７を使用することがある。
【００１８】
ところで、以上の機能を果たすピン７とスリーブ９との前後の位置関係については、ピン７がスリーブ９に没入した状態のとき、その頂面（前面）とスリーブ９の前面とがほぼ面一か或いはピン７が僅かに突出した状態であるのが体裁上好ましいし、清潔感もある。この関係は、スリーブ９と便座２の側面においても同じであり、スリーブ９の前面は便座２の側面にほぼ面一にしてある。これにおいて、スリーブ９の前面にはフランジ９ａを形成してある程度の面積を確保しておく。そして、スリーブ９の前面とピン７の頂面或いは没入時の突出部分には金メッキ又は銀メッキを施しておくのが豪華に見えてデザイン上好ましいし、見付けるのも容易である。
【図面の簡単な説明】
【００１９】
【図１】ピンの構造を示す便座の一部断面図である。
【図２】ガイドカムの展開図である。
【図３】ピンを示す便座の一部正面図である。
【図４】腰掛け便器の一部断面側面図である。
【図５】腰掛け便器の平面図である。
【図６】ピンの構造を示す便座の一部断面図である。
【符号の説明】
【００２０】
１    便器本体
２    便座
２ａ  スペーサ
３    蓋
４    水槽
５    軸
６    洗浄装置の操作部
７    ピン
８    孔
９    スリーブ
９ａ      〃  のフランジ
１０  ガイドカム
１０ａ      〃  の長い縦溝
１０ｂ      〃  の短い縦溝
１１  ガイドスリーブ
１２  ガイドピン
１３  スプリング
１４  係止バネ
１４ａ上方突起
１５  案内バネ
【図１】
0003105231.tif 000003
【図２】
0003105231.tif 000004
【図３】
0003105231.tif 000005
【図４】
0003105231.tif 000006
【図５】
0003105231.tif 000007
【図６】
0003105231.tif 000008